(57)【要約】【課題】簡単、快速に裁断の動作を完成させることができ、また、便利で、安全であり、各年齢層の人が使用できる手持式テープ台の改良構造を提供する。【解決手段】本考案は、両ハウジング内に、弾性素子、カッター、及び、圧合ブロックを有するテープ台を設置し、使用者は、テープを張りたい時、手でハウジングを持ち、終端を上揚させ、前端下圧の力により、後方に、必要な長さまで引き出し、テープ台上方に延伸した圧合ブロックを弾いて、テープ台を帯動し、後端の弾性素子を押し、同時に、圧合ブロックは、刀座に接触して下に移動し、裁断の動作を達成する。完了後、前記圧合ブロックを開放して、この時、前記弾性素子は、圧力が消失する情況下で、迅速に、元の静止状態に回復する。また、刃はハウジングから突出していないので、裁断時、紙を破ったり、指を傷つけたりすることがない。【選択図】図２
0003110641.tif 000002
【実用新案登録請求の範囲】
【請求項１】
手持式テープ台の改良構造であって、両ハウジング内に、弾性素子、カッター、及び、圧合ブロックを有するテープ台を設置し、使用者は、テープを張りたい時、手でハウジングを持ち、終端を上揚させ、前端下圧の力により、後方に、必要な長さまで引き出し、手で、前記テープ台上方に延伸した前記圧合ブロックを弾き、前記テープ台を帯動して、後端の前記弾性素子を押し、同時に、前記圧合ブロックは、刀座に接触して下に移動し、裁断の動作を達成し、完了後、前記圧合ブロックを開放して、この時、前記弾性素子は、圧力が消失する情況下で、迅速に、元の静止状態に回復し、テープ裁断の動作を終了することを特徴とする手持式テープ台の改良構造。
【請求項２】
前記ハウジングの一側に、テープを有するローラー柱を設け、テープは、円滑に、物体上に粘貼されることを特徴とする請求項１に記載の手持式テープ台の改良構造。
【請求項３】
前記弾性素子は、前記テープ台の後端に設置される支柱に組み合わされ、前記弾性素子の弾性により、全体の構造が元の静止状態に回復する素子となることを特徴とする請求項１に記載の手持式テープ台の改良構造。
【請求項４】
前記刀座頂部は、直角三角形の凸部ロックを設け、前記刃座を下向けに作動させ、裁断を達成することを特徴とする請求項１に記載の手持式テープ台の改良構造。
【請求項５】
前記テープ台は、圧制棒を設置し、テープが切断時に移動するのを防止することを特徴とする請求項１に記載の手持式テープ台の改良構造。
【考案の詳細な説明】
【技術分野】
【０００１】
本考案は、手持式テープカッターの改良構造に関するものであって、特に、テープを粘着すると同時に、裁断動作を完成することが可能な手持式テープカッターの改良構造に関するものである。
【背景技術】
【０００２】
現在使用されているテープカッターのテープ座は、一般に、本体に、テープ、及び、カッターを容納しており、使用を便利にするため、手握式、或いは、台座式のテープ座形態であり、手握式は、使用者が直接、テープカッターを握り、テープを粘着すると同時に、カッターにより、裁断動作を完成するものである。もう一つは、テープ台で、使用者は、手で直接、必要な位置までテープを引っ張り、更に、それを下に押すようにして、裁断動作を完成する。前述の二つの形態は、それぞれ設計上、便利さや安全性が不足し、改善が必要である。本案は、手握式テープカッターの相関構造を研究し、公知の構造、及び、使用上の欠陥に対し、改善を施した。
【０００３】
図１は、中華民国特許公告番号第４８５９５９号「手持式テープカッター」の構造は、二つのハウジング（A）、承置座（B）、テープ台（C）、テープ（D）、弾性素子（E）、及び、カッター（F）等から構成され、まず、テープ（D）を引き出すと共に、支点筒（I）により、ローラー（H）の方向にハウジング（A）外部に延伸し、使用開始時、手で直接、ハウジング（A）を握り、テープ（D）を物体上に固定して、更に、ハウジング（A）を後に引き、裁断したい時、ハウジング（A）終端を上揚させると同時に、前端が、圧合ブロック（G）に対し下圧し、この時、圧合ブロック（G）の圧制棒（G１）は、弾性素子（E）の抵接弧槽（E１）に対し圧迫するので、弾性素子（E）前段部分が下圧動作を生成し、カッター（F）がテープ（D）を裁断する。カッター（F）が裁断する時、圧合ブロック（G）の圧制を受けて、刃がハウジング（A）外に延伸し、紙が剥破、或いは、子供が使用する時に、刃で傷つく恐れがあり、この構造は、新規性を有するが、実用上、改善する必要がある。
【考案の開示】
【考案が解決しようとする課題】
【０００４】
本考案は、テープを粘着すると同時に、裁断動作を完成することが可能で、安全、便利で、各年齢層の操作使用に適する手持式テープカッターの改良構造を提供することを目的とする。
【課題を解決するための手段】
【０００５】
本考案は、手持式ハウジング方式により、テープ台から延伸する圧合ブロックを利用し、テープを粘着すると同時に、指が圧合ブロックを弾く力により、圧合ブロックが、テープ台を後方向に帯動して、弾性素子を押し、同時に、カッターの凸ブロックに接触して、刃座を下に向けて、テープの裁断を実行する。裁断完成後、ただちに、圧合ブロックを開放し、この時、テープ台後端に設置される弾性素子は、圧力が消失する情況下で、元の静止状態に迅速に回復し、簡単、快速に裁断の動作を完成させる。
【０００６】
本考案は、圧合ブロックにより、弾性素子とカッターを帯動し、ハウジング内で、裁断の動作を完成し、刃はハウジングから突出していないので、裁断時、紙を破って、指を傷つけることがなく、便利で、安全であり、各年齢層の人が使用できる。
【考案の効果】
【０００７】
本考案により、テープを粘着すると同時に、裁断動作を完成することが可能で、安全、便利で、各年齢層の操作使用に適するという長所がある。
【考案を実施するための最良の形態】
【０００８】
本考案の手持式テープカッターの改良構造は、二つのハウジング（１）、テープ台（２）、カッター（３）、弾性素子（４）から構成され、図２に好ましい実施例が示されている。
【０００９】
本構造は、左右両側のハウジング（１）からなり、分解、組み立てが可能な形態で、一つのハウジング（１）内の適所に、テープ台（２）、ローラー柱（１１）、定位柱（１２）、支柱（１３）、及び、圧合柱（１４）等を有し、弾性素子（４）は、支柱（１３）に嵌設され、刃座（３３）は、定位柱（１２）と結合している。
【００１０】
テープ台（２）は、後端に、テープを収容する承置座（２１）を設置し、前端に、平台（２３）、及び、圧制棒（２４）を設置して、円滑に、テープが引き出され、テープ台（２）の前端は、上向けに、圧合ブロック（２２）を設計し、テープ台（２）後方に設けられた弾性素子（４）は、テープ台（２）とカッター（３）を帯動する装置となる。
【００１１】
カッター（３）は、刃片（３１）、結合ブロック（３２）と刃座（３３）が組み合わされてなり、刀座（３３）頂部は、直角三角形の凸ブロック（３４）を設けて、圧合ブロック（２２）と接触し、裁断動作を実行する。
【００１２】
前述の構造により、各素子は組み合わされた後、まず、テープを、圧制棒（２４）と平台（２３）から引き出し、ハウジング（１）外部に延伸させ、使用開始時、手で直接、ハウジング（１）を持ち、終端を上揚させ、テープを物体上に粘貼し、ハウジング（１）を、必要な長さまで後方に引っ張って、更に、指で、テープ台（２）上方の圧合ブロック（２２）を弾き、指で圧合ブロック（２２）を弾く力により、圧合ブロック（２２）は、テープ台（２）を帯動して、後端の弾性素子（４）を押し、同時に、カッター（３）を下に動かして、裁断の動作を完成する。裁断完成後、圧合ブロック（２２）を開放して、この時、弾性素子（４）は、圧合ブロック（２２）の施圧を受けないので、迅速に、元の静止状態に回復し、簡単、快速な裁断動作が完成する。
【００１３】
注意すべきことは、本構造は、手持方式により、圧合ブロック（２２）が、カッター（３）を帯動して、下に移動させ、刃片（３１）は、容易に、裁断が出来、刃片（３１）は、ハウジング（１）外から出ることがないので、紙の破れや、使用者の指が負傷することもなく、安全性を増加させ、且つ、本考案は、煩雑な構造素子が不要なので、片手で操作ができる。
【００１４】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１５】
【図１】公知の立体図である。
【図２】本考案の実施例図である。
【図３】本考案の立体図である。
【図４】本考案の操作図（１）である。
【図５】本考案の操作図（２）である。
【符号の説明】
【００１６】
（A）…ハウジング
（B）…承置座
（C）…テープ台
（D）…テープ
（E）…弾性素子
（E１）…抵接弧槽
（F）…カッター
（G）…圧合ブロック
（G１）…圧制棒
（H）…ローラー
（I）…支点筒
（１）…ハウジング
（２）テープ台
（３）…カッター
（４）…弾性素子
（１１）…ローラー柱
（１２）…定位柱
（１３）…支柱
（１４）…圧合柱
（２１）…承置座
（２３）…平台
（２４）…圧制棒
（３１）…刀片
（３２）…結合ブロック
（３３）…刃座
（３４）…凸ブロック
【図１】
0003110641.tif 000003
【図２】
0003110641.tif 000004
【図３】
0003110641.tif 000005
【図４】
0003110641.tif 000006
【図５】
0003110641.tif 000007